(57)【要約】【課題】構造が簡単で安価であり、長期間にわたって安定した良好な引手片保持性が実現できるとともに、各構成部品相互間の揺れを防止することができるカバー部材を備えたスライドファスナー用スライダーを提供する。【解決手段】スライダー(20)は、引手片(22)を不動状態に覆い隠す第１位置と引手片(22)を露呈させる第２位置との間を回動可能なカバー部材(23)を備えている。カバー部材(23)が前記第１位置にあるとき互いに係脱する係脱手段(22d,23c-1) が、引手片(22)及びカバー部材(23)のそれぞれが相対的に回動可能に結合された回動部(22c,23c) を有する第２端部(22b,23b) であって、各回動部(22c,23c) から離間した第１端部(22a,23a) 側の部位に備えられている。【選択図】図２
2005211309.tif 000002
【特許請求の範囲】
【請求項１】
一対のファスナーストリンガー(11,12) の噛合エレメント(13,14) を噛合・解除させるスライダー胴体(21)と、
同スライダー胴体(21)に対して、第１端部(22a) を介して自由動作が可能に連結された引手片(22)と、
同引手片(22)の第１端部(22a) とは反対側の第２端部(22b) における回動部(22c) を介して相対的に回動可能に結合された回動部(23c) を有する第２端部(23b) を備え、同第２端部(23b) とは反対側の第１端部(23a) との間で、前記引手片(22)を不動状態に覆い隠す第１位置と同引手片(22)を露呈させる第２位置との間を回動可能なカバー部材(23)と、
を備えてなるスライダー(20)であって、
前記引手片(22)及び前記カバー部材(23)のそれぞれが、前記第２端部(22b,23b) において前記回動部(22c,23c) から離間した第１端部(22a,23a) 側の部位に、前記第１位置にあるとき互いに係脱する係脱手段を有してなることを特徴とするスライドファスナー用スライダー。
【請求項２】
前記引手片(22)又は前記カバー部材(23)の前記回動部(22c,23c) の一方が、前記各回動部(22c,23c) の相対的な回動を許容する回動空間を有する左右一対のアーム部(22e,22e) に形成され、前記引手片(22)又は前記カバー部材(23)における前記アーム部(22e) の内側面と、前記カバー部材(23)又は前記引手片(22)における前記回動部(23c,22c) の外側面とに互いに係脱する前記係脱手段を有してなることを特徴とする請求項１記載のスライドファスナー用スライダー。
【請求項３】
前記引手片(22)又は前記カバー部材(23)の前記回動部(22c,23c) の一方が、前記各回動部(22c,23c) の相対的な回動を許容する回動空間を有する左右一対のアーム部(22e,22e) に形成され、同アーム部(22e) の基端部に各アーム部(22e) を連結する連結杆(22d) を有し、前記カバー部材(23)又は前記引手片(22)の前記回動部(23c,22c) の他方が前記連結杆(22d) と係脱する前記係脱手段を有してなることを特徴とする請求項１記載のスライドファスナー用スライダー。
【請求項４】
前記係脱手段が、前記引手片(22)又は前記カバー部材(23)の一方に、前記引手片(22)と前記カバー部材(23)との係脱時に係脱する係着部を有してなることを特徴とする請求項１〜３のいずれかに記載のスライドファスナー用スライダー。
【請求項５】
前記係着部が、弾性変形する弾性舌片(23c-1) により構成されてなることを特徴とする請求項４記載のスライドファスナー用スライダー。
【請求項６】
前記係着部が、突部(23c-2,23c-4,23c-5) により構成されてなることを特徴とする請求項４記載のスライドファスナー用スライダー。
【請求項７】
前記突部(23c-2) が、硬質材料からなるカム面により構成されてなることを特徴とする請求項６記載のスライドファスナー用スライダー。
【請求項８】
前記カバー部材(23)又は前記引手片(22)の他方に前記突部(23c-5) と係脱する係脱孔又は凹部を有してなることを特徴とする請求項６記載のスライドファスナー用スライダー。
【請求項９】
前記スライダー胴体(21)がその上面の一部に引手取付柱(21d) を有してなり、前記カバー部材(23)の内面に、前記引手取付柱(21d) の上端部に係着する収容凹部(23d,23d-1) を有してなることを特徴とする請求項１〜３のいずれかに記載のスライドファスナー用スライダー。
【発明の詳細な説明】
【技術分野】
【０００１】
本発明はスライドファスナー用スライダーに係わり、特に、長期間にわたって安定した良好な引手片保持性が実現できるとともに、各構成部品相互間のガタツキを防止することができるカバー部材を備えたスライダーに関する。
【背景技術】
【０００２】
従来も、例えば鞄、リュックサック等の物品やジャケット、スウェットスーツ等の衣類品などの留め具としてスライダーが多用されている。この種のスライダーの構造として、例えば前記物品の開口部に取り付けられ、一対のファスナーストリンガーの対向する噛合エレメントの噛合・解除を行う剛性材料からなるスライダー胴体と、このスライダー胴体に対する自由動作を可能にして連結された剛性材料からなる引手片とを備えた一般的なスライダーがある。
【０００３】
また、このスライダーの他の構造として、例えば前記スライダー胴体と引手片との両部材にカバー部材を含む三つの部材により構成されたスライダーがある（例えば、特許文献１参照）。このカバー部材を備えたスライダーは、例えばオートバイを運転する者が着用する衣服の留め具として多用されている。この衣服は、皮、模造皮革、あるいは同一材質の素材で製作することができ、一般的には、かなり高価なものである。
【０００４】
この特許文献１に記載されたスライダー１００では、図１６に示すように、平坦な硬いカバー板１０１が引手片１０２にヒンジ状に連結されている。このカバー板１０１は、スライダー胴体１０３及び引手片１０２からなる装飾性に乏しい組立品を覆い隠す第１位置と同組立品を露呈させる第２位置との間で動作可能とされている。このカバー板１０１は、前記第１位置において、噛合エレメント列１０４やその隣接部分と接触する方向に向けて弾性的に傾斜して配されている。その結果、いっそう美しい装飾性に優れたスライダー１００が得られる。
【特許文献１】米国特許第１９８８７６１号明細書
【発明の開示】
【発明が解決しようとする課題】
【０００５】
上記特許文献１に記載されたスライダー１００では、単に硬い引手片１０２が硬いスライダー胴体１０３に対して自由動作可能に連結されるとともに、その引手片１０２とカバー板１０１とが回動可能に連結されている。このため、その構造上、例えばオートバイを運転する者が着用する衣服の留め具として使用する場合には、その使用中に引手片１０２が頻繁に跳ね上がってしまうこととなる。引手片１０２が長時間にわたり頻繁に跳ね上がると、引手片１０２とスライダー胴体１０３の上面とが激しく衝突し合うようになる。このため、その衝突音によって乗り手に不快感を与えるばかりでなく、各構成部品相互間にガタツキや位置ずれなどが発生するという不具合があった。
【０００６】
また、この従来のスライダー１００におけるカバー板１０１は、既述のとおり、そのカバー板１０１がスライダー胴体１０３及び引手片１０２からなる組立品を覆い隠す第１位置にあるとき、カバー板１０１と引手片１０２との間のヒンジ状の連結部分が上方に浮き上がった状態で配されている。しかも、カバー板１０１の自由端部がスライダー胴体１０３の上面に当接した状態で引手片１０２を覆い隠している。
【０００７】
つまり、カバー板１０１がスライダー胴体１０３及び引手片１０２を覆い隠す第１位置にあるとき、カバー板１０１は、噛合エレメント列１０４やその隣接部分と接触する方向に傾いて配されることとなる。このため、例えばオートバイ乗りが使用する衣服にあっては、その使用中に引手片１０２が長時間にわたり頻繁に跳ね上がると、乗り手の気に障るだけでなく、カバー板１０１の自由端部が前記噛合エレメント列１０４や衣服と直接接触することとなる。その結果、その衣服が部分的に摩耗したり、或いは損傷してしまうという不具合があった。
【０００８】
本発明は、構造が簡単で安価であり、長期間にわたって安定した良好な引手片保持性が実現できるとともに、各構成部品相互間の揺れを防止することができるカバー部材を備えたスライドファスナー用スライダーを提供することを目的としている。
【課題を解決するための手段】
【０００９】
本件請求項１に係る発明は、一対のファスナーストリンガーの噛合エレメントを噛合・解除させるスライダー胴体と、同スライダー胴体に対して、第１端部を介して自由動作が可能に連結された引手片と、同引手片の第１端部とは反対側の第２端部における回動部を介して相対的に回動可能に結合された回動部を有する第２端部を備え、同第２端部とは反対側の第１端部との間で、前記引手片を不動状態に覆い隠す第１位置と同引手片を露呈させる第２位置との間を回動可能なカバー部材とを備えてなるスライダーであって、前記引手片及び前記カバー部材のそれぞれが、前記第２端部において前記回動部から離間した第１端部側の部位に、前記第１位置にあるとき互いに係脱する係脱手段を有してなることを特徴とするスライドファスナー用スライダーにある。
【００１０】
請求項２に係る発明は、上記請求項１記載の発明にあって、前記引手片又は前記カバー部材の前記回動部の一方が、前記各回動部の相対的な回動を許容する回動空間を有する左右一対のアーム部に形成され、前記引手片又は前記カバー部材における前記アーム部の内側面と、前記カバー部材又は前記引手片における前記回動部の外側面とに互いに係脱する前記係脱手段を有していることを特徴としている。
【００１１】
請求項３に係る発明は、上記請求項１記載の発明にあって、前記引手片又は前記カバー部材の前記回動部の一方が、前記各回動部の相対的な回動を許容する回動空間を有する左右一対のアーム部に形成され、同アーム部の基端部に各アーム部を連結する連結杆を有し、前記カバー部材又は前記引手片の前記回動部の他方が前記連結杆と係脱する前記係脱手段を有していることを特徴としている。
【００１２】
請求項４に係る発明は、上記請求項１〜３のいずれかに記載の発明にあって、前記係脱手段が、前記引手片又は前記カバー部材の一方に、前記引手片と前記カバー部材との係脱時に係脱する係着部を有していることを特徴としている。
【００１３】
請求項５に係る発明は、上記請求項４に係る発明にあって、前記係着部が、弾性変形する弾性舌片により構成されていることを特徴としている。
【００１４】
請求項６に係る発明は、上記請求項４記載の発明にあって、前記係着部が、突部により構成されていることを特徴としている。
【００１５】
請求項７に係る発明は、上記請求項６記載の発明にあって、前記突部が、硬質材料からなるカム面により構成されていることを特徴としている。
【００１６】
請求項８に係る発明は、上記請求項６記載の発明にあって、前記カバー部材又は前記引手片の他方に、前記突部と係脱する係脱孔又は凹部を有していることを特徴としている。
【００１７】
請求項９に係る発明は、上記請求項１〜３のいずれかに記載の発明にあって、前記スライダー胴体がその上面の一部に引手取付柱を有してなり、前記カバー部材の内面に、前記引手取付柱の上端部に係着する収容凹部を有していることを特徴としている。
【発明の効果】
【００１８】
本発明のスライダーにあっても、上記特許文献１と同様に、スライダー胴体、引手片、カバー部材の三つの部材により構成されている。上記特許文献１に記載されたスライダーにあっては、スライダー胴体及び引手片の各連結部、引手片及びカバー部材の各回動部を互いに自由動作が可能にそれぞれ連結されている。このため、前記引手片の頻繁な跳ね上がり傾向を抑えることはできない。
【００１９】
本発明のスライダーによれば、上記請求項１記載の発明のように、前記カバー部材が少なくとも引手片を覆い隠す第１位置にあるとき前記カバー部材及び前記引手片を互いに係脱する係脱手段を、前記引手片及び前記カバー部材のそれぞれが相対的に回動可能に結合された回動部を有する各第２端部であって、前記各回動部から離間した第１端部側の部位にそれぞれ備えることができる。
【００２０】
上記構成を備えることにより、前記係脱手段を、前記カバー部材が前記第１位置にあるとき前記引手片及び前記カバー部材の各第２端部間における相対的な回動を許容する回動空間内に合理的に設けることができる。前記引手片は、前記カバー部材が前記引手片を覆い隠す第１位置にあるとき不動状態となり、前記引手片の動きを抑えることができる。これにより、前記引手片に対する保持力を十分に確保することができる。また、前記引手片が前記スライダー胴体に対してガタツキや位置ずれを生じることがなくなるため、スライダーの品質を長期間にわたって確保することができる。
【００２１】
本発明におけるスライダーの構造としては、特に限定されるものではなく、各種の構造を使用することができる。すなわち、本発明の主要な特徴部である係脱手段を備えることができるスライダーの典型的な構造として、上記請求項２に係る発明のように、前記引手片又は前記カバー部材の前記回動部の一方を、各回動部の相対的な回動を許容する回動空間を有する左右一対のアーム部に備えることができる。これにより、前記引手片又は前記カバー部材における前記アーム部の内側面と、前記カバー部材又は前記引手片における前記回動部の外側面とを互いに係脱する構成とすることができるようになる。
【００２２】
また、前記係脱手段を備えることができるスライダーの典型的な他の構造としては、上記請求項３に係る発明のように、前記引手片又は前記カバー部材の前記回動部の一方を、各回動部の相対的な回動を許容する回動空間を有する左右一対のアーム部に備えることができるとともに、同アーム部の基端部に各アーム部を連結する連結杆を備えることができる。これにより、前記カバー部材又は前記引手片の前記回動部の他方に、前記連結杆と係脱する構成を備えることができるようになる。
【００２３】
上記各スライダー構造を備えることにより、前記引手片及び前記カバー部材のそれぞれが相対的に回動可能に結合された回動部を有する第２端部の一部を前記係脱手段として有効に利用することができるようになる。しかも、前記カバー部材が前記第１位置にあるとき、同時に前記係脱手段をもって前記スライダー胴体に対して、前記引手片及び前記カバー部材をしっかりと確実に支持固定することができるようになる。これにより、前記カバー部材と前記引手片との相対移動を防止することができる。
【００２４】
更に本発明にあっては、前記引手片及び前記カバー部材における前記各第２端部の形態や構造などに応じて各種の前記係脱手段を設けることができる。すなわち、前記係脱手段の典型的な構造として、上記請求項４に係る発明のように、前記係脱手段として、前記引手片又は前記カバー部材の一方に、前記引手片と前記カバー部材との係脱時に係脱する係着部を備えることができる。
【００２５】
この係着部としては、単純な構造でよく、複雑な構造に形成する必要はない。この係着部の典型的な構造としては、上記請求項５及び６に係る発明のように、前記係着部を弾性変形する弾性舌片、軟質材又は硬質材からなる突部、押圧変形する弾性体などにより構成することができる。前記係着部の典型的な他の構造としては、上記請求項７に係る発明のように、前記突部を硬質材料からなるカム面により構成することができる。
【００２６】
上記各係着部を備えることにより、前記係着部と係脱する被係着部の一例として、上記請求項８に係る発明のように、前記カバー部材又は前記引手片の他方に、前記突部と係脱する係脱孔又は凹部を備えることができるようになる。前記係着部と前記被係着部の係着面積を適宜に設定することにより、各構成部品間相互の保持力を十分に確保することができる。また、上記係脱手段を単純な構造とすることができ、複雑な構造に形成することを回避することができるようになる。これにより、スライダー全体の小型化や薄型化を実現することができるようになり、その取扱性も容易になる。
【００２７】
前記カバー部材の内面には、請求項９に係る発明のように、前記スライダー胴体の上面の一部に設けられた引手取付柱の上端部に係着する嵌合凹部を設けることができる。カバー部材が少なくとも引手片を覆い隠す第１位置にあるとき、前記引手取付柱、前記引手片、前記カバー部材を完全に係着することができる。従って、各構成部品間相互のガタツキやズレなどを完全に防止することができ、それらをしっかりと確実に支持固定することができる。
【００２８】
このため、前記カバー部材が少なくとも引手片を覆い隠す第１位置にあるとき、前記引手取付柱に対してカバー部材が跳ね上がろうとする力がカバー部材に直接作用しても、引手片とカバー部材との係着と相まって、引手片及びカバー部材が前後方向、左右方向、斜め方向や上下方向に移動することを防止することができるようになる。
【００２９】
前記収容凹部の形態としては、カバー部材及びスライダー胴体の形態や大きさなどに応じて適宜に設定することができる。カバー部材は単純な構造でよく、複雑な構造に形成する必要がなくなり、カバー部材の収容凹部の形態や大きさなどを引手取付柱の形態や大きさなどに応じて適宜に設定することによりスライダーの小型化や薄型化が実現できる。
【発明を実施するための最良の形態】
【００３０】
以下、本発明の好適な実施形態を添付図面に基づいて具体的に説明する。
【実施例１】
【００３１】
図１〜図４は、本発明の代表的な第１の実施例であるカバー部材２３を備えたスライダー２０を示している。図４において、例えば織成ストラップのような左右一対のファスナーストリンガー１１，１２を備えたスライドファスナー１０が示されている。各ファスナーストリンガー１１，１２には、それぞれ務歯のような一連の噛合エレメント１３，１４が設けられている。このスライドファスナー１０は、例えば図示せぬ衣服などの物品、特にオートバイを運転する者が着用する衣服等に用いることができる。各ファスナーストリンガー１１，１２は、それぞれ前記物品の開口部に取り付けられる。
【００３２】
前記スライドファスナー１０のスライダー２０は、図１〜図３に示すように、前記噛合エレメント１３，１４（図４）の噛合・解除を行うスライダー胴体２１、同スライダー胴体２１に対して、第１端部２２ａを介して自由動作が可能に連結された引手片２２、同引手片２２の前記第１端部２２ａとは反対側の第２端部２２ｂを介して相対的に回動可能に連結された第２端部２３ｂを有するカバー部材２３の三つの部材により構成されている。
【００３３】
前記スライダー胴体２１は、図２及び図３に示すように、上下翼板２１ａ，２１ｂと各上下翼板２１ａ，２１ｂの前部を連結する案内柱２１ｃとを有している。各上下翼板２１ａ，２１ｂの後端から略中央位置にかけては、それぞれに左右の上下フランジを有している。各上下翼板２１ａ，２１ｂの間には、Ｙ字形の噛合エレメント案内通路が形成されている。
【００３４】
前記スライダー胴体２１における上翼板２１ａの上面には、図２に示すように、前後の端部に柱部を有する断面が略横Ｃ字状をなす引手取付柱２１ｄが固着されている。引手取付柱２１ｄの前端柱部は、上翼板２１ａにおける前端部の上面に一体成形されて起立している。引手取付柱２１ｄにおける後端柱部の下端は、引手片２２の第１端部２２ａが挿入できる間隔を形成して前記上翼板２１ａの上面から浮き上がった状態で配されている。
【００３５】
前記カバー部材２３の第２端部２３ｂにおける中央部内面に突出した回動部２３ｃは、図２に示すように、引手片２２の第２端部２２ｂにおける回動部２２ｃを介して相対的に回動可能に結合されている。カバー部材２３の第１端部２３ａは、スライダー胴体２１及び引手片２２を不動状態に覆って隠す第１位置（図１）とスライダー胴体２１及び引手片２２を露出させる第２位置（図２）との間を相対的に回動可能とされている。
【００３６】
本発明は、カバー部材２３が少なくとも引手片２２を不動状態に覆い隠す第１位置にあるとき引手片２２及びカバー部材２３の各第２端部２２ｂ，２３ｂ間における相対的な回動を許容する回動空間内に、カバー部材２３及び引手片２２が互いに係脱する係脱手段を有していることを主要な特徴部としている。本発明にあってカバー部材２３及び引手片２２の各第２端部２２ｂ，２３ｂとは、カバー部材２３及び引手片２２が互いに相対的に回動する部分をいう。各第２端部２２ｂ，２３ｂのそれぞれは、回動部２２ｃ，２３ｃを含んでいる。各回動部２２ｃ，２３ｃによってカバー部材２３及び引手片２２が相対的に回動可能に結合されている。
【００３７】
本発明にあっては、前記係脱手段を引手片２２及びカバー部材２３の各第２端部２２ｂ，２３ｂであって各回動部２２ｃ，２３ｃから離れた各第１端部２２ａ，２３ａ側の部位に設けることができる。これにより、引手片２２及びカバー部材２３のそれぞれが相対的に回動可能に連結された各第２端部２２ｂ，２３ｂの一部を係脱手段として有効に利用することができる。
【００３８】
図示例にあっては、引手片２２の回動部２２ｃとしては、図２に示すように、左右一対のアーム部２２ｅ，２２ｅの先端部に形成することができる。カバー部材２３の回動部２３ｃとしては、図２に示すように、カバー部材２３における第２端部２３ｂ側の中央部内面に突出された突出部により構成することができる。
【００３９】
図１〜図３、図５及び図６は、カバー部材２３が少なくとも引手片２２を不動状態に覆い隠す第１位置にあるとき、引手片２２の第２端部２２ｂとカバー部材２３の第２端部２３ｂとの間で互いに係脱する係脱手段の好適な構造を示している。図示例による典型的な第１の実施例によれば、前記引手片２２は、図２に示すように、スライダー胴体２１の引手取付柱２１ｄに対して自由動作を許容する中央空間部を有する環状の第１端部２２ａを有している。この第１端部２２ａは、その中央空間部を通して引手取付柱２１ｄに引っ掛けられている。
【００４０】
更に前記引手片２２は、図２に示すように、前記第１端部２２ａの中央空間部を横切って形成された連結杆２２ｄを基端部として、くま手状の第２端部２２ｂを有している。この第２端部２２ｂの回動部２２ｃを前記係脱手段の一部を構成する左右一対のアーム部２２ｅ，２２ｅに形成することができる。各アーム部２２ｅ間にカバー部材２３の回動部２３ｃの回動を許容する回動空間を形成することができる。
【００４１】
この引手片２２とカバー部材２３とは、例えば二色成形又はインサート成形により一体的に形成することができる。また、本発明はこれに限定されるものではなく、例えば引手片２２の各アーム部２２ｅとカバー部材２３の回動部２３ｃとの間の連結にあたり、ピン２４を前記カバー部材２３の回動部２３ｃ及び前記引手片２２の各アーム部２２ｅ間に通して嵌着固定することができる。
【００４２】
一方、前記カバー部材２３としては、図２及び図３に示すように、上方に滑らかな凸曲面をもつ略湾曲板部材により構成することができる。カバー部材２３における第１端部２３ａ側の中央部内面には、少なくとも前記引手取付柱２１ｄにおける前端柱部の上端部に保持される細長い溝形状の収容凹部２３ｄが形成されている。カバー部材２３における第２端部２３ｂ側の中央部内面に突出した回動部２３ｃは、引手片２２の各アーム部２２ｅ間に相対的に回動可能に結合される係脱手段の一部としている。
【００４３】
このカバー部材２３の回動部２３ｃとしては、例えば前記ピン２４を中心とする半円弧面形状をなす上面部を有するブロック体により構成することができる。この回動部２３ｃにおける第１端部２３ａ側の部位には、引手片２２とカバー部材２３との係脱時に弾性変形する係着部が設けられている。この係着部としては、図２〜図６に示すように、例えば軟質材料からなる弾性舌片２３ｃ−１を形成することができる。この弾性舌片２３ｃ−１は、カバー部材２３が少なくとも引手片２２を不動状態に覆い隠す第１位置にあるとき被係着部である硬質材料からなる引手片２２の連結杆２２ｄに対して係脱することができるようになっている。
【００４４】
前記カバー部材２３の素材としては、本発明は特に限定されるものではないが、例えばプラスチックやゴム材又は皮革などの軟質材料を使用することができる。前記カバー部材２３を軟質材料により形成すると、外観上のソフト感が良好に得られることは当然として、カバー部材２３と各構成部品が互いに衝突し合う場合があったとしても、使用者に耳障りな不快音を発生しない。このため、使用者に不快感を与えることを防止することができる。
【００４５】
また、激しいスポーツを行ったときなど、不意にスライダー２０が手指などの身体の一部に当たることがあっても、軟質のカバー部材２３によってスライダー胴体２１、引手片２２が軟質部分で覆われているため、手指などを傷つけることはない。しかも、カバー部材２２が軟質であることを利用してカバー部材２３とカバー引手片２１とを容易に係脱することができる。
【００４６】
いま、使用者がカバー部材２３の第１端部２３ａを指先で把持して、カバー部材２３を第２位置（図２）から第１位置（図１）へ向けて回動させる。カバー部材２３の回動に伴い、カバー部材２３の弾性舌片２３ｃ−１を引手片２２の各アーム部２３ｅ間の回動空間内に挿入させると、図５及び図６に示すように、引手片２２の連結杆２２ｄにより前記弾性舌片２３ｃ−１の先端部が、カバー部材２３が回動する方向とは反対方向に弾性変形する。この弾性変形によって、弾性舌片２３ｃ−１の先端部が各アーム部２２ｅ間の回動空間内に入り込んで前記連結杆２２ｄの係合面を通過する。前記連結杆２２ｄの係合面を通過すると同時に、前記弾性舌片２３ｃ−１の先端部が弾性復帰する。これにより、前記連結杆２２ｄと前記弾性舌片２３ｃ−１とを互いに係着することができる。
【００４７】
また、カバー部材２３をスライダー胴体２１から外すために、使用者がカバー部材２３の第１端部２３ａを指先で把持して、カバー部材２３を第１位置（図１）から第２位置（図２）へ向けて回動させると、上記操作とは逆の操作によってカバー部材２３の弾性舌片２３ｃ−１の先端部が弾性変形する。これにより、弾性舌片２３ｃ−１を引手片２２の各アーム部２３ｅ間から離脱させることができ、前記連結杆２２ｄと前記弾性舌片２３ｃ−１との係着状態を解除することができる。
【００４８】
上記のように構成された係脱手段を備えることにより、カバー部材２３が少なくとも引手片２２を不動状態に覆い隠す第１位置にあるときスライダー胴体２１に対して引手片２２及びカバー部材２３をしっかりと確実に支持固定することができる。これにより、引手片２２がスライダー胴体２１に対してずれることを防止することができる。しかも、引手片２２とカバー部材２３との相対移動を防止することができる。従って、スライダー２０の品質を長期間にわたって確保することができる。
【実施例２】
【００４９】
図７及び図８は、カバー部材２３が少なくとも引手片２２を不動状態に覆い隠す第１位置にあるとき各第２端部２２ｂ，２３ｂを互いに係脱する係脱手段の典型的な他の構造を示している。また、これらの図において上記第１の実施例と実質的に同じ部材には同一の部材名と符号を付している。従って、これらの部材に関する詳細な説明は省略する。
【００５０】
なお、図９〜図１５は、カバー部材２３が少なくとも引手片２２を不動状態に覆い隠す第１位置にあるとき各第２端部２２ｂ，２３ｂを互いに係脱する係脱手段の典型的な他の構造をそれぞれ示している。これらの実施例にあっても、上記第１の実施例と実質的に同じ部材には同一の部材名と符号を付しているため、これらの部材に関しては詳細な説明を省略する。
【００５１】
本発明にあっては、引手片２２及びカバー部材２３における各第２端部２２ｂ，２３ｂの形態や構造などに応じて各種の係脱手段を設けることができる。すなわち、係脱手段の典型的な構造としては、引手片２２及びカバー部材２３の各第２端部２２ｂ，２３ｂを格別な形態や構造などに形成することなく、カバー部材２３が少なくとも引手片２２を不動状態に覆い隠す第１位置にあるとき各第２端部２２ｂ，２３ｂを互いに係脱する係脱手段を単純な構造に形成することができる。
【００５２】
図７及び図８は、本発明に係るスライダー２０の第２の実施例を示している。この第２の実施例において上記第１の実施例と大きく異なるところは、前記引手片２２及びカバー部材２３の各第２端部２２ｂ，２３ｂが互いに係脱する係脱手段として、カバー部材２３の回動部２３ｃにおける第１端部２３ａ側の部位に、引手片２２とカバー部材２３との係脱時に強制的に係脱する突部２３ｃ−２を設けることができることと、この突部２３ｃ−２を硬質材料からなるカム面により構成することができることにある。
【００５３】
この第２の実施例によると、弾性金属材などの硬質材料からなるカバー部材２３には、その回動部２３ｃ内に固着されたゴム材などの弾性材料からなる中間部材２５を通してピン２４が固着一体化されている。カバー部材２３を第２位置（図８）へ向けて回動させると、カバー部材２３の回動に応じて、前記突部２３ｃ−２のカム面を、硬質材料からなる引手片２２における連結杆２２ｄの係合面に密着して摺動することができる。これにより、その密着部分で部分的に接触圧力を増大させることができる。
【００５４】
このとき、前記中間部材２５の突部側の部位を、ピン２４を中心とする外方向に向けて押圧変形させることができる。この押圧変形によって、前記突部２３ｃ−２のカム面が各アーム部２２ｅ間の回動空間内に入り込んで前記連結杆２２ｄの係合面を通過する。それと同時に、前記中間部材２５が弾性復帰する。この中間部材２５が弾性復帰すると、引手片２２における各アーム部２２ｅ間の回動空間内に前記突部２３ｃ−２のカム面と引手片２２の連結杆２２ｄとを互いに対向して配することができる。
【００５５】
これにより、カバー部材２３が少なくとも引手片２２を不動状態に覆い隠す第１位置にあるとき、前記連結杆２２ｄと前記突部２３ｃ−２のカム面とを互いに係着することができる。これとは反対に、前記突部２３ｃ−２のカム面が前記連結杆２２ｄの係合面から離間して相対的に回動することにより接触圧力を減少することができる。こうして、前記引手片２２及びカバー部材２３の各回動部２２ｃ，２３ｃを互いに係脱することができる。
【００５６】
この第２の実施例にあっても、上記第１の実施例と同様に、部品点数を増やすことなく、簡単な構造で安価な係脱手段が得られる。なお、引手片２２における連結杆２２ｄの係合面の一部に、前記突部２３ｃ−２のカム面と密着・離間するカム面を滑らかに形成することができることは勿論である。
【００５７】
また、この第２の実施例では、カバー部材２３の回動部２３ｃ内に固着された中間部材２５を通してピン２４を固着一体化した構造を例に挙げて説明したが、本発明はこれに限定されるものではない。本発明では、例えば前記中間部材２５を使用することなく、前記ピン２４を弾性金属材により構成しても同様の作用を奏することができる。
【実施例３】
【００５８】
図９及び図１０は、本発明に係るスライダー２０の第３の実施例を示している。この第３の実施例では、前記引手片２２及びカバー部材２３の各第２端部２２ｂ，２３ｂが互いに係脱する係脱手段として、カバー部材２３の回動部２３ｃにおける第１端部２３ａ側の部位に、引手片２２とカバー部材２３との係脱時に押圧変形する係着部を設けることができる。この係着部としては、プラスチックやゴム材のような軟質材料からなる弾性体２３ｃ−３により構成することができる。
【００５９】
この弾性体２３ｃ−３の形態や構造などは、図示例に限定されるものではない。カバー部材２３が前記第１位置（図１０）にあるとき、引手片２２における各アーム部２２ｅ間の回動空間内に前記弾性体２３ｃ−３と硬質材料からなる引手片２２の連結杆２２ｄとを互いに対向して配することができる。これにより、前記引手片２２及びカバー部材２３の各回動部２２ｃ，２３ｃを互いに係脱することができる。この第３の実施例にあっても、上記各実施例と同様に、カバー部材２３が少なくとも引手片２２を不動状態に覆い隠す第１位置にあるとき、前記引手片２２とカバー部材２３との係着がずれることがなくなり、それらをしっかりと確実に支持固定することができる。
【実施例４】
【００６０】
図１１及び図１２は、本発明に係るスライダー２０の第４の実施例を示している。この第４の実施例によれば、前記引手片２２及びカバー部材２３の各第２端部２２ｂ，２３ｂが互いに係脱する係脱手段として、カバー部材２３の回動部２３ｃにおける第１端部２３ａ側の部位に設けた弾性舌片２３ｃ−１に代えて、硬質材料からなる引手片２２における連結杆２２ｄに弾性舌片２２ｄ−１を形成することができる。
【００６１】
一方、少なくともカバー部材２３の回動部２３ｃに硬質材料からなる突部２３ｃ−４を形成することができる。カバー部材２３が第１位置（図１２）にあるとき、前記弾性舌片２２ｄ−１と前記突部２３ｃ−４とを互いに係脱することができる。この第４の実施例にあっても、上記各実施例と同様に、カバー部材２３が少なくとも引手片２２を不動状態に覆い隠す第１位置にあるとき、前記引手片２２とカバー部材２３とをしっかりと確実に係着することができ、単純な構造で廉価な係脱手段を得ることができる。
【実施例５】
【００６２】
図１３は、本発明に係るスライダー２０の第５の実施例を示している。なお、同図においては説明の助長を避けるためにスライダー胴体を図示しない。この第５の実施例では、カバー部材２３の回動部２３ｃと引手片２２の連結杆２２ｄとが互いに係脱する係脱手段に代えて、引手片２２におけるアーム部２２ｅの内側面とカバー部材２３における回動部２３ｃの外側面とが互いに係脱する係脱手段を設けることができる。この係脱手段として、例えば突部２３ｃ−５及び凹部を適宜に設定することができる。
【００６３】
この第５の実施例では、引手片２２におけるアーム部２２ｅの内側面に突部２３ｃ−５を設けるとともに、カバー部材２３における回動部２３ｃの外側面に凹部を設けているが、本発明は図示例に限定されるものではない。前記引手片２２及びカバー部材２３の各第２端部２２ｂ，２３ｂが互いに係脱する係脱手段として、例えば引手片２２におけるアーム部２２ｅの内側面に形成された突条部や突部と、カバー部材２３における回動部２３ｃの外側面に形成された段部、嵌入孔や凹部などにより構成することができる。また、突条部、突部、段部、嵌入孔や凹部を適宜に組み合わせて形成することができることは勿論である。
【００６４】
上記第２〜第５の実施例による係脱手段を備えることにより、この係脱手段を単純な構造とすることができ、複雑な構造に形成することを回避することができるようになる。また、前記係着部と前記被係着部の係着面積を適宜に設定することができる。このため、各構成部品間相互の保持力を十分に確保することができる。また、上記係脱手段を単純な構造とすることができ、複雑な構造に形成することを回避することができるようになる。これにより、スライダー２０全体の小型化や薄型化を実現することができるようになり、その取扱性も容易となる。
【実施例６】
【００６５】
図１４及び図１５は、前記引手取付柱２１ｄにおける前端柱部の上端部に保持される細長い溝形状の収容凹部２３ｄの他の構造例を示している。これらの図において、この第６の実施例によるカバー部材２３は、上方に滑らかな凸曲面をもつ上壁部の左右に形成された左右側壁部と、上壁部及び左右側壁部を連結する前壁部とを有している。カバー部材２３の収容凹部２３ｄ−１の領域では、前記カバー部材２３は略横Ｃ字状の断面を有している。この収容凹部２３ｄ−１は、上翼板２１ａにおける前端部の上面に一体成形されて起立した引手取付柱２１ｄの前端柱部の前面にわたり形成されている。この収容凹部２３ｄ−１の形態は、カバー部材２３及びスライダー胴体２１の形態や大きさなどに応じて適宜に設定することができる。これにより、カバー部材２３を引手取付柱２１ｄに向けて正確に且つ安定して案内することができる。
【００６６】
前記カバー部材２３の収容凹部２３ｄ−１とスライダー胴体２１の引手取付柱２１ｄとを嵌合するにあたり、前後及び幅方向の位置決めをすることができるようになる。カバー部材２３及びスライダー胴体２１の外部に格別な固着構造を露呈することなく、カバー部材２３の収容凹部２３ｄ−１とスライダー胴体２１の引手取付柱２１ｄとをしっかりと不動状態に且つ確実に取り付けることができる。カバー部材２３とスライダー胴体２１とが嵌合状態にあるとき、つまり、カバー部材２３が少なくとも引手片２２を不動状態に覆い隠す第１位置（図１４）にあるとき、前記引手取付柱２１ｄ、前記引手片２２、前記カバー部材２３を完全に係着することができる。従って、各構成部品間相互のガタツキやズレなどを完全に防止することができ、それらをしっかりと且つ確実に支持固定することができる。
【００６７】
このため、カバー部材２３が少なくとも引手片２２を不動状態に覆い隠す第１位置にあるとき、前記引手取付柱２１ｄに対してカバー部材２３が跳ね上がろうとする力がカバー部材２３に直接作用しても、引手片２２とカバー部材２３との係着と相まって、引手片２２及びカバー部材２３が前後方向、左右方向、斜め方向や上下方向に移動することを防止することができるようになる。これにより、カバー部材２３の保持力を増大させることができ、スライダー２０の耐久性を高めることができる。
【００６８】
従って、このカバー部材２３は単純な構造でよく、複雑な構造に形成する必要がなくなり、カバー部材２３の収容凹部２３ｄ−１の形態や大きさなどを引手取付柱２１ｄの形態や大きさなどに応じて適宜に設定することによりスライダー２０の小型化や薄型化が実現できる。なお、前記収容凹部２３ｄ−１は、少なくともカバー部材２３の左右側壁部の内面に形成されていればよい。
【００６９】
以上は本発明の好適な実施例を例示したものであり、例えば上記各実施例では、前記引手片２２の第２端部２２ｂとカバー部材２３の第２端部２３ｂとが相対的な回動を許容する回動空間を有する左右一対のアーム部２２ｅ，２２ｅを備えた構造例を挙げているが、本発明はこれに限定されるものではなく、例えば引手片２２の回動部をブロック状の回動部により構成することができ、相手方のカバー部材２３の回動部を左右一対のアーム部により構成することができる。
【００７０】
また、上記係脱手段の構造として、カバー部材２３の回動部２３ｃに引手片２２とカバー部材２３との係脱時に、弾性変形する弾性舌片２３ｃ−１、強制的に係着するカム面２３ｃ−２又は押圧変形する弾性体２３ｃ−３を備えるとともに、引手片２２の回動部２２ｃに連結杆２２ｄを備えた構造、引手片２２の連結杆２２ｄに引手片２２とカバー部材２３との係脱時に弾性変形する弾性舌片２２ｄ−１を備えるとともに、カバー部材２３の回動部２３ｃに突部２３ｃ−４を備えた構造などを例に挙げているが、スライダー胴体２１及び引手取付柱２１ｄの形態、大きさなどの他の要因との関係で、上記係脱手段のいずれか一つ、或いはそれらの任意の組合せによっても、本発明の目的を充分に達成することができることは勿論である。
【００７１】
また、本発明にあっては、引手片２２及びカバー部材２３の各回動部２２ｃ，２３ｃの材質などを特に規定するものではなく、例えばカバー部材２３としては、金属などの硬質材料により形成することができ、プラスチックやゴム材或いは皮革などの軟質材料により形成することができる。従って、本発明は上記各実施例に限定されないことは当然であり、各請求項に記載した範囲内で様々に設計変更が可能である。
【図面の簡単な説明】
【００７２】
【図１】本発明のカバー部材を備えたスライドファスナー用スライダーの第１状態を示す斜視図である。（第１実施例）
【図２】同スライダーの第２状態を示す斜視図である。（第１実施例）
【図３】同スライダーのカバー部材が多様な位置にあることを示す側面図である。（第１実施例）
【図４】同スライダー及びファスナーチェーンの一部を示す斜視図である。（第１実施例）
【図５】同スライダーが第１状態の直前にあることを示す要部断面側面図である。（第１実施例）
【図６】同スライダーの第２状態を示す要部断面側面図である。（第１実施例）
【図７】本発明の他の構造例であるカバー部材を備えたスライダーが第１状態の直前にあることを示す要部断面側面図である。（第２実施例）
【図８】同スライダーの第２状態を示す要部断面側面図である。（第２実施例）
【図９】本発明の更に他の構造例であるカバー部材を備えたスライダーが第１状態の直前にあることを示す要部断面側面図である。（第３実施例）
【図１０】同スライダーの第２状態を示す要部断面側面図である。（第３実施例）
【図１１】本発明の更に他の構造例であるカバー部材を備えたスライダーが第１状態の直前にあることを示す要部断面側面図である。（第４実施例）
【図１２】同スライダーの第２状態を示す要部断面側面図である。（第４実施例）
【図１３】本発明の更に他の構造例であるカバー部材を備えたスライダーの第２状態を示す要部裏面図である。（第５実施例）
【図１４】図１に示すスライダーにおけるカバー部材の変形例を示す要部断面側面図である。（第６実施例）
【図１５】図１４におけるＸＶ−ＸＶ線の矢視断面図である。（第６実施例）
【図１６】従来のカバー部材を備えたスライダーを示す要部断面図である。
【符号の説明】
【００７３】
１０          スライドファスナー
１１，１２    ファスナーストリンガー
１３，１４    噛合エレメント
２０          スライダー
２１          スライダー胴体
２１ａ        上翼板
２１ｂ        下翼板
２１ｃ        案内柱
２１ｄ        引手取付柱
２２          引手片
２２ａ        第１端部
２２ｂ        第２端部
２２ｃ        回動部
２２ｄ        連結杆
２２ｄ−１    弾性舌片
２２ｅ        アーム部
２３          カバー部材
２３ａ        第１端部
２３ｂ        第２端部
２３ｃ        回動部
２３ｃ−１    弾性舌片
２３ｃ−２    突部
２３ｃ−３    弾性体
２３ｃ−４    突部
２３ｃ−５    突部
２３ｄ        収容凹部
２３ｄ−１    収容凹部
２４          ピン
２５          中間部材
【図１】
2005211309.tif 000003
【図２】
2005211309.tif 000004
【図３】
2005211309.tif 000005
【図４】
2005211309.tif 000006
【図５】
2005211309.tif 000007
【図６】
2005211309.tif 000008
【図７】
2005211309.tif 000009
【図８】
2005211309.tif 000010
【図９】
2005211309.tif 000011
【図１０】
2005211309.tif 000012
【図１１】
2005211309.tif 000013
【図１２】
2005211309.tif 000014
【図１３】
2005211309.tif 000015
【図１４】
2005211309.tif 000016
【図１５】
2005211309.tif 000017
【図１６】
2005211309.tif 000018